(57)【要約】 【課題】フォーカスばらつきを低減することができるフォーカス補正装置、フォーカス補正方法およびプログラムを提供する。【解決手段】一実施形態のフォーカス補正装置は、入力手段と補正データ生成手段とを持つ。前記入力手段は、外部の露光装置で作成されたＱＣウェーハを外部の計測装置で測定して得られた第１のデフォーカス量のデータと、前記外部の露光装置で作成された製品ウェーハを前記外部の計測装置で測定して得られた第２のデフォーカス量のデータとを入力する。前記補正データ生成手段は、前記第１のデフォーカス量に基づいて前記第２のデフォーカス量を補間してウェーハ全面の高次フォーカス補正データを生成する。【選択図】図１
2016039359.tif 000002
【特許請求の範囲】
【請求項１】
外部の露光装置で作成されたＱＣウェーハを外部の計測装置で測定して得られた第１のデフォーカス量のデータと、前記外部の露光装置で作成された製品ウェーハを前記外部の計測装置で測定して得られた第２のデフォーカス量のデータとを入力する入力手段と、
前記第１のデフォーカス量に基づいて前記第２のデフォーカス量を補間してウェーハ全面の高次フォーカス補正データを生成する補正データ生成手段と、
を備えるフォーカス補正装置。
【請求項２】
前記補正データ生成手段は、製品ウェーハの座標に対応させてＱＣウェーハのデフォーカスマップを作成し、前記デフォーカスマップと前記第２のデフォーカス量から製品ウェーハの表面高さのばらつきに起因する騙され成分を取得し、前記騙され成分を補間して騙され成分ウェーハマップを作成し、前記騙され成分ウェーハマップと前記第１のデフォーカス量から前記高次フォーカス補正データを生成することを特徴とする請求項１に記載のフォーカス補正装置。
【請求項３】
前記パラメータ補正手段は、補正前の露光装置制御パラメータにより得られるフォーカス補正マップと前記高次フォーカス補正データとの差の絶対値の総和が最小となるパラメータを抽出することにより、または、前記フォーカス補正マップと前記高次フォーカス補正データとの差の二乗和が最小となるパラメータを抽出することにより、前記露光装置制御パラメータを補正することを特徴とする請求項２に記載のフォーカス補正装置。
【請求項４】
ＱＣウェーハを測定して得られた第１のデフォーカス量に基づいて、製品ウェーハを測定して得られた第２のデフォーカス量を補間することにより、ウェーハ全面の高次フォーカス補正データを生成することと、
前記高次フォーカス補正データに基づいてフォーカスを補正することと、
を備えるフォーカス補正方法。
【請求項５】
露光装置と計測装置とに接続されるコンピュータに前記露光装置のフォーカス補正を実行させるプログラムであって、
前記フォーカス補正は、前記計測装置でＱＣウェーハを測定して得られた第１のデフォーカス量に基づいて、前記計測装置で製品ウェーハを測定して得られた第２のデフォーカス量を補間することにより、ウェーハ全面の高次フォーカス補正データを生成することを備える、プログラム。
【発明の詳細な説明】
【技術分野】
【０００１】
本発明の実施形態は、フォーカス補正装置、フォーカス補正方法およびプログラムに関する。
【背景技術】
【０００２】
半導体集積回路装置の製造において、微細なパターンを高い精度で形成するためには、フォトリソグラフィ工程でＣＤ（Ｃｒｉｔｉｃａｌ  Ｄｉｍｅｎｓｉｏｎ）管理のみならず、露光光のフォーカス管理も重要である。
【０００３】
しかしながら、露光装置の継続使用で生じた制御パラメータの経時変化などによりフォーカス位置が変動する場合があり、このようなフォーカス変動を正確に補正する技術が求められている。
【先行技術文献】
【特許文献】
【０００４】
【特許文献１】特開２００７−１９４５５１号公報
【発明の概要】
【発明が解決しようとする課題】
【０００５】
本発明が解決しようとする課題は、フォーカスばらつきを低減することができるフォーカス補正装置、フォーカス補正方法およびプログラムを提供することである。
【課題を解決するための手段】
【０００６】
一実施形態のフォーカス補正装置は、入力手段と補正データ生成手段とを持つ。前記入力手段は、外部の露光装置で作成されたＱＣウェーハを外部の計測装置で測定して得られた第１のデフォーカス量のデータと、前記外部の露光装置で作成された製品ウェーハを前記外部の計測装置で測定して得られた第２のデフォーカス量のデータとを入力する。前記補正データ生成手段は、前記第１のデフォーカス量に基づいて前記第２のデフォーカス量を補間してウェーハ全面の高次フォーカス補正データを生成する。
【図面の簡単な説明】
【０００７】
【図１】一実施形態によるフォーカス補正方法の概略手順を示すフローチャート。
【図２】一実施形態によるフォーカス補正装置の概略構成を示すブロック図。
【発明を実施するための形態】
【０００８】
以下、実施形態のいくつかについて図面を参照しながら説明する。図面において、同一の部分には同一の参照番号を付し、その重複説明は適宜省略する。
【０００９】
以下の説明において、「製品マスク」とは、半導体製造ラインにおいて製品デバイスを製造するために使用されるマスクをいい、「ＱＣ」マスクとは、製品マスク以外のダミーマスクであって、露光装置の管理のために作成されたマスクをいう。また、「製品ウェーハ」とは、半導体製造ラインにおいて製品デバイスを製造するために使用されるウェーハをいい、「ＱＣウェーハ」とは、上記製品ウェーハ以外のダミーウェーハであって、露光装置の管理のために使用されるウェーハをいう。さらに、「高次」とは、２次以上の次数が高い関数で表現されることをいう。
【００１０】
（１）フォーカス補正方法
実施の一形態によるフォーカス補正方法について図１のフローチャートを参照しながら説明する。
【００１１】
まず、半導体リソグラフィ工程において、フォーカス補正の対象となる露光装置（図２の符号５０を参照）を用いて製品マスクのパターンを製品ウェーハ上のレジストに露光して製品ウェーハを作成する（ステップＳ１）。
【００１２】
続いて、作成した製品ウェーハをフォーカス計測装置（図２の符号６０を参照）に導入し、露光時の露光装置におけるデフォーカス量を計測する（ステップＳ２）。製品ウェーハを測定して得られたデフォーカス量は、本実施形態において例えば第２のデフォーカス量に対応する。
【００１３】
次いで、ＱＣウェーハを準備する（ステップＳ３）。ＱＣマスクとしてショット内に多数（例えば１０１×１０１点）のフォーカス計測用パターンを配置したフォーカスＱＣマスクを作成し、このフォーカスＱＣマスクを、製品マスクを露光した露光装置で露光する。これによりＱＣウェーハが作成される。
【００１４】
次に、ＱＣウェーハを製品ウェーハでのフォーカス計測に用いたフォーカス計測装置に導入し、ＱＣウェーハのデフォーカス量を計測する（ステップＳ４）。ＱＣウェーハを測定して得られたデフォーカス量は、本実施形態において例えば第１のデフォーカス量に対応する。
【００１５】
続いて、得られたＱＣウェーハのデフォーカス量データに基づいてＱＣウェーハの全領域のうちフォーカス計測用パターンが配置されていない領域を補間してＱＣウェーハのデフォーカスマップを作成する。作成されたデフォーカスマップは、フォーカス計測装置により得られたデフォーカス量と補間処理により求められたデフォーカス量とを含む。デフォーカスマップの作成に際し、各デフォーカス量を、ステップＳ２でデフォーカス量を測定した製品ウェーハの座標に対応させておく（ステップＳ５）。
【００１６】
製品ウェーハ上の領域はデバイスパターンを形成するためのスペースで殆どが占められており、計測目的の専用パターンはカーフなどの限られた領域にしか作成できないので、フォーカス計測用パターンの数量も限られている。このため、ショット内におけるデフォーカス傾向は概略の傾向しか分からない。
【００１７】
この一方、ＱＣマスクには製品マスクのような制限がないため、前述した通り、多数のフォーカス計測用パターンを配置可能である。このため、ＱＣウェーハからはショット内における高次のデフォーカス傾向を把握することができる。
【００１８】
しかしながら、ＱＣウェーハには製品パターンが作成されていないため、デバイスの段差や下層のスタック構造などによる下地やレジストの膜厚、及びレジスト表面高さのばらつきに起因する、製品ウェーハならではの騙され量の分布を測定することができない。そこで、本実施形態では、ＱＣウェーハと製品ウェーハとの間でＸ，Ｙ平面内の同一座標でのデフォーカス量を比較してウェーハ面内での傾向差を求めることにより、騙され量の分布（ｘ，ｙ，騙され量）を取得する。以下、Ｘ，Ｙ平面内の座標位置に対応づけられた騙され量を「騙され成分」という。
【００１９】
より具体的には、まず、製品ウェーハのフォーカス計測用パターンを測定して得られたデフォーカス量と、ＱＣウェーハのフォーカス計測用パターンを測定して得られたデフォーカス量との差を計算することにより、下地やレジストの膜厚、及びレジスト表面高さのばらつきに起因する騙され成分を取得する（図１、ステップＳ６）。
【００２０】
続いて、得られた騙され成分に基づいて製品ウェーハの領域中でフォーカス計測用パターンが形成されていない領域を補間することにより、ＱＣウェーハの座標に対応した騙され成分ウェーハマップが取得される（ステップＳ７）。
【００２１】
次いで、このようにして補間処理がなされた騙され成分を露光装置制御パラメータに反映させるための高次デフォーカスマップを取得する。
【００２２】
より具体的には、ステップＳ７で取得された騙され成分ウェーハマップにおける騙され成分と、ステップＳ４で取得されたＱＣウェーハのデフォーカス量との和を算出し、算出結果に応じた騙され量を、騙され成分ウェーハマップの各騙され成分からキャンセルする。これにより、下地やレジストの膜厚、及びレジスト表面高さのばらつきが反映された高次デフォーカスマップが取得される（ステップＳ８）。本実施形態において、高次デフォーカスマップのデータは例えば高次フォーカス補正データに対応する。
【００２３】
続いて、露光装置制御パラメータにより得られるフォーカス補正マップと上記ステップＳ８で得られた高次デフォーカスマップとの間で所定の演算を行うことにより、最適の露光装置制御パラメータを算出する（ステップＳ９）。所定の演算としては、例えばフォーカス補正マップと高次デフォーカスマップとの差の絶対値の総和が最小となる露光装置制御パラメータを抽出することの他、フォーカス補正マップと高次デフォーカスマップとの差の二乗和が最小となる露光装置制御パラメータを抽出することなどが含まれる。
【００２４】
最後に、上記ステップＳ９で得られた露光装置制御パラメータの最適値を露光装置にフィードバックする（ステップＳ１０）ことにより、後続するロットのデフォーカス量を最小化することができる。
【００２５】
以上の手順を露光装置レシピ毎の製造ロット数や経過時間、装置メンテナンス状態に応じて定期的に繰り返すことにより、最小のデフォーカス量での製造が維持される。
【００２６】
なお、上述した補間では、例えば線形補間や三次補間などを使用することができる。
【００２７】
上述した実施形態では、ＱＣウェーハのデフォーカス量を計測する前に、製品ウェーハのデフォーカス量を取得する態様について説明したが、これらの順序に限ることなく、先にＱＣウェーハのデフォーカス量を計測した後に製品ウェーハのデフォーカス量を取得することとしてもよい。
【００２８】
以上述べた少なくとも一つの実施の形態によるフォーカス補正方法によれば、ＱＣウェーハのデフォーカスマップに、製品ウェーハの下地やレジストの膜厚、及びレジスト表面高さのばらつきに起因する騙され成分が反映された高次デフォーカスマップを取得し、得られた高次デフォーカスマップに基づいて最適の露光装置制御パラメータを算出してフォーカスを補正するので、半導体リソグラフィ工程において、製品ウェーハのフォーカスばらつきを低減することができる。
【００２９】
（２）フォーカス補正装置
図２は、一実施形態によるフォーカス補正装置の概略構成を示すブロック図である。図２に示すフォーカス補正装置は、上述した実施形態のフォーカス補正を実現するための装置である。
【００３０】
本実施形態のフォーカス補正装置は、図２に示すように、入力手段１２と、補正データ生成手段１０と、パラメータ補正手段１４と、記憶装置ＭＲと、を含む。
【００３１】
入力手段１２は、外部の計測装置６０に接続され、計測装置６０の計測結果を補正データ生成手段１０に取り込むためのインタフェイスとして機能する。
【００３２】
外部の計測装置６０は、外部の露光装置５０で作成された製品ウェーハＷ１およびＱＣウェーハＷ２を受け入れて露光装置５０でのデフォーカス量を計測する。露光装置５０は、半導体リソグラフィ工程においてフォーカス補正の対象となる露光装置であり、製品マスクＭ１から製品ウェーハＷ１を作成し、また、ＱＣマスクＭ２からＱＣウェーハを作成する。
【００３３】
補正データ生成手段１０は、計測装置６０から与えられた計測結果を処理してウェーハ全面の高次フォーカス補正データを生成する。
【００３４】
パラメータ補正手段１４は、高次フォーカス補正データから露光装置制御パラメータを補正して露光装置５０へフィードバックする。
【００３５】
記憶装置ＭＲは、各種の演算プログラムを格納するほか、露光装置５０の制御パラメータやフォーカス補正マップを格納する。
【００３６】
図２に示すフォーカス補正装置の動作は以下の通りである。
【００３７】
まず、製品マスクＭ１がセットされた露光装置５０に、前処理を終えた製品ウェーハが導入され、この製品ウェーハ上のレジスト（図示せず）に製品マスクＭ１のパターンが転写されて製品ウェーハＷ１が作成される。続いて製品ウェーハＷ１は計測装置６０に導入され、露光時の露光装置５０におけるデフォーカス量が計測される。計測結果は、入力手段１２を介して補正データ生成手段１０に入力される。製品ウェーハＷ１の測定により得られたデフォーカス量は、本実施形態において例えば第２のデフォーカス量に対応する。
【００３８】
次いで、ＱＣマスクＭ２がセットされた露光装置５０に、前処理を終えたＱＣウェーハが導入され、このＱＣウェーハ上のレジスト（図示せず）にＱＣマスクＭ２のパターンが転写されてＱＣウェーハＷ２が作成される。ＱＣマスクには、ショット内に多数（例えば１０１×１０１点）のフォーカス計測用パターンが配置されている。作成されたＱＣウェーハＷ２は、計測装置６０に導入され、露光時の露光装置５０におけるデフォーカス量が計測される。計測結果は、入力手段１２を介して補正データ生成手段１０に入力される。ＱＣウェーハＷ２の測定により得られたデフォーカス量は、本実施形態において例えば第１のデフォーカス量に対応する。
【００３９】
補正データ生成手段１０は、入力されたＱＣウェーハＷ２のデフォーカス量データに基づいてＱＣウェーハの全領域のうちフォーカス計測用パターンが配置されていない領域を補間してＱＣウェーハのデフォーカスマップを作成する。その際に、補正データ生成手段１０は、補間処理により求められたデフォーカス量を含め、各デフォーカス量を製品ウェーハＷ１の座標に対応させておく。
【００４０】
次に、補正データ生成手段１０は、製品ウェーハＷ１を測定して得られたデフォーカス量と、ＱＣウェーハＷ２を測定して得られたデフォーカス量との傾向差を計算することにより、下地やレジストの膜厚及びレジスト表面高さのばらつきに起因する騙され成分を取得する。
【００４１】
続いて、補正データ生成手段１０は、得られた騙され成分に基づいて製品ウェーハの領域中でフォーカス計測用パターンが形成されていない領域を補間することにより、ＱＣウェーハの座標に対応した騙され成分ウェーハマップを取得する。
【００４２】
さらに、補正データ生成手段１０は、騙され成分ウェーハマップにおける騙され成分と、ＱＣウェーハのデフォーカス量との和を算出し、算出結果に応じた騙され量を、騙され成分ウェーハマップの各騙され成分からキャンセルする。これにより、下地やレジストの膜厚及びレジスト表面高さのばらつきが反映された高次デフォーカスマップが取得される。補正データ生成手段１０は、取得した高次デフォーカスマップのデータをパラメータ補正手段１４へ送る。本実施形態において、高次デフォーカスマップのデータは例えば高次フォーカス補正データに対応する。
【００４３】
パラメータ補正手段１４は、記憶装置ＭＲからフォーカス補正マップを引き出し、該フォーカス補正マップと、補正データ生成手段１０から送られた高次デフォーカスマップとの間で所定の演算を行うことにより、最適の露光装置制御パラメータを算出し、露光装置５０へフィードバックする。パラメータ補正手段１４による演算には、例えばフォーカス補正マップと高次デフォーカスマップとの差の絶対値の総和が最小となる露光装置制御パラメータを抽出することの他、フォーカス補正マップと高次デフォーカスマップとの差の二乗和が最小となる露光装置制御パラメータを抽出することなどが含まれる。
【００４４】
以上述べた少なくとも一つの実施の形態によるフォーカス補正装置によれば、高次のデフォーカス傾向が反映されたＱＣウェーハＷ２のデフォーカスマップに、製品ウェーハＷ１の下地やレジストの膜厚及びレジスト表面高さ位置のばらつきに起因する騙され成分がさらに反映された高次デフォーカスマップを取得する補正データ生成手段１０と、補正データ生成手段１０により取得された高次デフォーカスマップに基づいて最適の露光装置制御パラメータを算出するパラメータ補正手段１４とを含む。これにより、半導体リソグラフィ工程において、製品ウェーハのフォーカスばらつきを低減することができる。
【００４５】
（３）プログラム
前述の実施形態では、図２に示す専用のフォーカス補正装置を用いたフォーカス補正について説明したが、上述した一連のフォーカス補正は、レシピファイルとしてプログラムに組み込み、露光装置および計測装置に接続可能な汎用コンピュータに読み込ませて実行させてもよい。これにより、上述した実施形態によるフォーカス補正を、汎用コンピュータを用いて実現することができる。
【００４６】
また、上述したフォーカス補正の一連の手順をコンピュータに実行させるプログラムに組み込み、フレキシブルディスクやＣＤ−ＲＯＭ等の記録媒体に収納し、コンピュータに読込ませて実行させてもよい。記録媒体は、磁気ディスクや光ディスク等の携帯可能なものに限定されず、ハードディスク装置やメモリなどの固定型の記録媒体でもよい。また、上述したフォーカス補正の一連の手順を組込んだプログラムをインターネット等の通信回線（無線通信を含む）を介して頒布しても良い。さらに、上述したフォーカス補正の一連の手順を組込んだプログラムを暗号化したり、変調をかけたり、圧縮した状態で、インターネット等の有線回線や無線回線を介して、または記録媒体に収納して頒布してもよい。
【００４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
１０…補正データ生成手段、１２…入力手段、１４…パラメータ補正手段。
【図１】
2016039359.tif 000003
【図２】
2016039359.tif 000004